(57)【特許請求の範囲】
【請求項１】
光信号発生手段と、入力されたデジタル信号に基づいて前記光信号発生手段を制御するためのドライブ手段とを有する、デジタル信号出力端子を有する情報処理装置において、
デジタル信号出力端子にプラグが接続されているか否かを検出し、該検出結果を接続検出信号として出力する検出手段と、
前記接続検出信号がベースに入力されエミッタがハイレベルの電圧に接続されたＰＮＰトランジスタと、前記接続検出信号をハイレベルの電圧にプルアップするためのプルアップ抵抗と、ゲートが前記ＰＮＰトランジスタのコレクタに接続されドレインが電源電圧に接続されソースが前記ドライブ手段の電源入力端子に接続されているｎチャネルＭＯＳトランジスタとから構成されている電源遮断手段と、
を有することを特徴とする、デジタル信号出力端子を有する情報処理装置。
【請求項２】
前記検出手段が、
前記接続検出信号と接続され、デジタル信号出力端子のジャックにプラグが挿入された場合に、ロウレベルに接続されるとともに前記ピンと嵌合するために設けられた嵌合金具と接触することにより前記接続検出信号をロウレベルとする検出ピンである請求項１記載のデジタル信号出力端子を有する情報処理装置。
【請求項３】
前記デジタル信号出力端子が、Ｓ／ＰＤＩＦ出力端子である請求項１または２記載のデジタル信号出力端子を有する情報処理装置。
【請求項４】
光信号発生手段と、入力されたデジタル信号に基づいて前記光信号発生手段を制御するためのドライブ手段とを有する、デジタル信号出力端子を有する音声信号出力装置において、
デジタル信号出力端子にプラグが接続されているか否かを検出し、該検出結果を接続検出信号として出力する検出手段と、
前記接続検出信号がベースに入力されエミッタがハイレベルの電圧に接続されたＰＮＰトランジスタと、前記接続検出信号をハイレベルの電圧にプルアップするためのプルアップ抵抗と、ゲートが前記ＰＮＰトランジスタのコレクタに接続されドレインが電源電圧に接続されソースが前記ドライブ手段の電源入力端子に接続されているｎチャネルＭＯＳトランジスタとから構成されている電源遮断手段と、
を有することを特徴とする、デジタル信号出力端子を有する音声信号出力装置。
【請求項５】
前記検出手段が、
前記接続検出信号と接続され、デジタル信号出力端子のジャックにプラグが挿入された場合に、ロウレベルに接続されるとともに前記ピンと嵌合するために設けられた嵌合金具と接触することにより前記接続検出信号をロウレベルとする検出ピンである請求項４記載のデジタル信号出力端子を有する音声信号出力装置。
【請求項６】
前記デジタル信号出力端子が、Ｓ／ＰＤＩＦ出力端子である請求項４または５記載のデジタル信号出力端子を有する音声信号出力装置。
【発明の詳細な説明】
【０００１】
【発明の属する技術分野】
本発明は、音声信号をデジタル信号のまま転送するためのＳ／ＰＤＩＦ出力端子等のデジタル信号出力端子を有するパーソナルコンピュータ等の情報処理装置、ＣＤプレーヤ、ＭＤプレーヤ等の音声信号出力装置に関する。
【０００２】
【従来の技術】
近年では、ＣＤプレーヤ、ＭＤプレーヤ、ＤＡＴプレーヤ等の民生用デジタル音声機器において、音声信号をデジタル信号のまま転送するために、Ｓ／ＰＤＩＦ（Sony/Philips Digital Interface Format）端子が設けられているものがある。このＳ／ＰＤＩＦは、主に民生用のデジタルオーディオ機器に使われている、デジタルオーディオインタフェースで、国際的にはＩＥＣの「ＩＥＣ６０９５８（旧ＩＥＣ９５８）」、国内ではＥＩＡＪの「ＣＰ−１２０１（旧ＣＰ−３４０）」という標準規格になっている。
【０００３】
このＳ／ＰＤＩＦ端子を有する２つの機器間で音声信号を転送しようとする場合、２つの機器のＳ／ＰＤＩＦ出力端子とＳ／ＰＤＩＦ入力端子とを光ファイバーケーブルまたは同軸ケーブルにより接続することによりデジタル信号の転送を行うことができる。そして、このＳ／ＰＤＩＦ端子を用いて音声信号をデジタル信号のまま転送することにより、機器間の転送に伴う音質の劣化の発生を防ぐことができる。
【０００４】
また、近年のパーソナルコンピュータには、音楽等の音声信号を再生、編集する機能が設けられているものが増えてきているため、音声機器と同様にＳ／ＰＤＩＦ出力端子が装備されているものもある。
【０００５】
さらに、近年では、インターネット等のネットワークを介して音楽配信を行うことが可能となったため、このようなネットワークを介して音楽情報を取り込んで再生するようなネットワーク対応型の音楽再生装置も提案されている。
【０００６】
このような、デジタル信号出力端子を有する情報処理装置の一例であるネットワーク対応型の音楽再生装置の外観図を図２に示す。図２（ａ）は、ネットワーク対応型の音楽再生装置の前面図であり、図２（ｂ）は、ネットワーク対応型の音楽再生装置の背面図である。この図２（ｂ）に示されるように、このネットワーク対応型の音楽再生装置には、その背面にＳ／ＰＤＩＦ出力端子１０が設けられている。
【０００７】
また、このＳ／ＰＤＩＦ出力端子１０から出力される光信号を生成するための回路の従来の回路図を図３に示す。
【０００８】
このＳ／ＰＤＩＦ出力端子１０には、光ファイバーケーブルのプラグが接続されるためのジャック１の内部に、光信号を生成するための手段であるＬＥＤ２が設けられている。さらに、Ｓ／ＰＤＩＦ出力端子１０には、入力されたＳ／ＰＤＩＦ信号１００に基づいてこのＬＥＤ２を制御するためのドライブＩＣ３が設けられている。
【０００９】
この従来の回路では、ドライブＩＣ３には、プラグの接続の有無に関係なく電源として５Ｖの電圧が印加されている。従って、ジャック１にプラグが挿入されていない場合でも、ＬＥＤ２からは赤色の光信号が出力されてしまう。
【００１０】
このように、Ｓ／ＰＤＩＦ出力端子にプラグが接続されていない場合にも、ＬＥＤ２から光信号が出力されることは、無駄な電力を消費していることになる。また、ユーザによっては、Ｓ／ＰＤＩＦ出力端子１０から赤色の光信号が漏れていることにより機器の誤動作または故障であると勘違いする可能性がある。特に、パーソナルコンピュータ等の小型化、軽量化が図られることにより、デジタル信号出力端子を有する情報処理装置を携帯することが多くなると装置正面以外が人の目に触れる機会が増え、この赤色の光信号のもれがより目立つこととなる。
【００１１】
このような弊害を防止するために、Ｓ／ＰＤＩＦ出力端子を使用しない場合には、キャップ等の蓋をかぶせるようにすれば光信号の外部へのもれを防ぐことができる。しかし、デジタル信号出力端子を有する情報処理装置や音声信号出力装置を携帯するようになると、頻繁に光ファイバケーブルのプラグを抜き差しするような状況が多くなり、蓋の紛失が発生したり、いちいち蓋を装着することが面倒となり蓋が使用されなくなるようなことが考えられる。そのため、蓋を設けただけでは、光信号の漏れによるユーザの勘違いを防ぐことはできない。また、蓋を設けただけでは、当然ながら無駄な電力を消費していることへの対策とはなり得ない。
【００１２】
【発明が解決しようとする課題】
上述した従来のデジタル信号出力端子を有する情報処理装置および音声信号出力装置では、下記のような問題点があった。
【００１３】
（１）プラグが接続されていない場合でも、デジタル信号出力端子から光信号が出力されてしまいユーザの勘違いを招く可能性がある。
【００１４】
（２）デジタル信号出力端子が使用されていないにもかかわらず光信号が出力されることにより、無駄な電力が消費されている。
【００１５】
本発明の目的は、プラグがデジタル信号出力端子に接続されていない場合には、デジタル信号出力端子から光信号が出力されないようにする情報処理装置および音声信号出力装置を提供することである。
【００１６】
【課題を解決するための手段】
上記目的を達成するために、本発明のデジタル信号出力端子を有する情報処理装置または音声信号出力装置は、光信号発生手段と、入力されたデジタル信号に基づいて前記光信号発生手段を制御するためのドライブ手段とを有する、デジタル信号出力端子を有する情報処理装置または音声信号出力装置において、
デジタル信号出力端子にプラグが接続されているか否かを検出し、該検出結果を接続検出信号として出力する検出手段と、
前記接続検出信号がベースに入力されエミッタがハイレベルの電圧に接続されたＰＮＰトランジスタと、前記接続検出信号をハイレベルの電圧にプルアップするためのプルアップ抵抗と、ゲートが前記ＰＮＰトランジスタのコレクタに接続されドレインが電源電圧に接続されソースが前記ドライブ手段の電源入力端子に接続されているｎチャネルＭＯＳトランジスタとから構成されている電源遮断手段と、を有することを特徴とする。
【００１７】
本発明によれば、デジタル信号出力端子にプラグが接続されていない場合には、電源遮断手段によりドライブ手段への電源電圧の供給が遮断されるため、デジタル信号出力端子から光信号が出力されることを防ぐことができる。従って、ユーザに機器の誤動作または故障であると勘違いを起こさせることを防ぐとともに無駄な電力の消費を防ぐことができる。
【００１９】
さらに、前記検出手段として、前記接続検出信号と接続され、デジタル信号出力端子のジャックにプラグが挿入された場合に、ロウレベルに接続されるとともに前記ピンと嵌合するために設けられた嵌合金具と接触することにより前記接続検出信号をロウレベルとする検出ピンを用いるようにしてもよい。
【００２０】
【発明の実施の形態】
次に、本発明の実施の形態について図面を参照して詳細に説明する。
【００２１】
図１は本発明の一実施形態のＳ／ＰＤＩＦ出力端子を有する音声信号出力装置におけるＳ／ＰＤＩＦ出力端子から出力される光信号を生成するための回路の回路図である。図１において、図３中の構成要素と同一の構成要素には同一の符号を付し、説明を省略するものとする。
【００２２】
尚、Ｓ／ＰＤＩＦには、物理的に７５Ωの同軸ケーブル（コネクタはＲＣＡもしくはＢＮＣ）を使うタイプと、光ファイバーを使うタイプがあるが、本実施形態は光ファイバーを使うタイプのＳ／ＰＤＩＦによる場合である。
【００２３】
本実施形態は、図３に示した従来の装置における回路に対して、Ｓ／ＰＤＩＦ出力端子にプラグが接続されているか否かを検出する検出手段である検出ピン９と、この検出手段によりＳ／ＰＤＩＦ出力端子にプラグが接続されていないことが検出された場合には、ドライブＩＣ３への電源の供給を遮断する電源遮断回路４とを新たに設けたものである。
【００２４】
この電源遮断回路４は、本実施形態においては、ＰＮＰトランジスタ５と、ｎチャネルＭＯＳトランジスタ６と、プルアップ抵抗７とから構成されている。
【００２５】
プルアップ抵抗７は、接続検出信号１０１をハイレベルの電圧である１２Ｖの電圧にプルアップしている。ＰＮＰトランジスタ５は、ベースに接続検出信号１０１が入力され、エミッタが１２Ｖの電圧に接続されている。ｎチャネルＭＯＳトランジスタ６は、ゲートがＰＮＰトランジスタ５のコレクタに接続され、ドレインが電源電圧である５Ｖに接続され、ソースがドライブＩＣ３の電源入力端子に接続されている。
【００２６】
また、Ｓ／ＰＤＩＦ出力端子１０のジャック１にプラグが挿入されると、嵌合金具８が検出ピン９と接触し、接続検出信号１０１をロウレベルとするような構成となっている。つまり、接続検出信号１０１は、Ｓ／ＰＤＩＦ出力端子１０にプラグが接続されている場合には０Ｖとなり、プラグが接続されていない場合には１２Ｖとなることにより、Ｓ／ＰＤＩＦ出力端子１０にプラグが接続されているか否かを示す信号として機能している。
【００２７】
次に、本実施形態のＳ／ＰＤＩＦ出力端子を有する音声信号出力装置における回路の動作を図１を参照して詳細に説明する。
【００２８】
先ず、Ｓ／ＰＤＩＦ出力端子１０にプラグが接続されていない場合について説明する。この場合には、嵌合金具８は検出ピン９と接触していないため、接続検出信号１０１はプルアップ抵抗７によりプルアップされハイレベルである１２Ｖとなる。そのため、ＰＮＰトランジスタ５はオフし、ｎチャネルＭＯＳトランジスタ６もオフとなる。そのため、電源電圧の５ＶはドライブＩＣ３には供給されない。
【００２９】
次に、Ｓ／ＰＤＩＦ出力端子１０にプラグが接続されている場合について説明する。この場合には、嵌合金具８は検出ピン９と接触するため、接続検出信号１０１はロウレベルである０Ｖとなる。そのため、ＰＮＰトランジスタ５はオンし、ｎチャネルＭＯＳトランジスタ６のゲートには１２Ｖが印加される。そのため、ｎチャネルＭＯＳトランジスタ６もオンとなり、電源電圧５ＶがドライブＩＣ３に供給される。
【００３０】
上記のような動作により、本実施形態によれば、Ｓ／ＰＤＩＦ出力端子１０にプラグが接続されていない場合には、電源遮断回路４によりドライブＩＣ３への電源電圧の供給が遮断されるため、Ｓ／ＰＤＩＦ出力端子１０から光信号が出力されることを防ぐことができる。従って、ユーザに機器の誤動作または故障であると勘違いを起こさせることを防ぐとともに無駄な電力の消費を防ぐことができる。
【００３１】
なお、本実施形態における電源遮断回路４では、接続検出信号１０１に基づいてオン／オフが制御されるトランジスタとしてはバイポーラトランジスタを用い、電源電圧である５ＶをスイッチングするトランジスタとしてＦＥＴを用いるようにしているのは、ＦＥＴはバイポーラトランジスタと比較してノイズ特性が良いため、ドライブＩＣ３に印加される電源電圧にノイズができるだけ含まれないようにするためである。
【００３２】
本実施形態では、ドライブＩＣ３への電源の供給を遮断するための電源遮断手段として、ＰＮＰトランジスタ５と、ｎチャネルＭＯＳトランジスタ６と、プルアップ抵抗７とから構成される電源遮断回路４を用いた場合について説明したが、本発明はこのような回路構成に限定されず、Ｓ／ＰＤＩＦ出力端子１０にプラグが接続されていないことが検出された場合にドライブＩＣ３への電源の供給を遮断することができる回路であればどのような回路であってもよい。
【００３３】
また、本実施形態では、Ｓ／ＰＤＩＦ出力端子１０にプラグが接続されているか否かを検出するための検出手段として、接続検出信号１０１と接続され、Ｓ／ＰＤＩＦ出力端子１０のジャック１に光ファイバーケーブルのプラグが挿入された場合に、嵌合金具８と接触することにより接続検出信号１０１を０Ｖとする検出ピン９を用いた場合について説明したが、本発明はこのような構成に限定されず、Ｓ／ＰＤＩＦ出力端子１０にプラグが接続されているか否かを検出することができるような手段であれば、機械的、電気的な手段に限定されずにどのような手段であってもよい。
【００３４】
さらに、本実施形態では、デジタル信号出力端子を有する情報処理装置の一例としてネットワーク対応型の音楽再生装置を用いて説明したが、本発明はこれに限定されるものではなく、パーソナルコンピュータ、ＣＤプレーヤ、ＭＤプレーヤ、ＤＡＴプレーヤ等のデジタル信号出力端子を有する情報処理装置であればどのような装置に対しても本発明を同様に適用することができるものである。
【００３５】
【発明の効果】
以上説明したように、本発明によれば、Ｓ／ＰＤＩＦ出力端子にプラグが接続されていない場合には、Ｓ／ＰＤＩＦ出力端子から光信号が出力されないようにすることができるため、ユーザに機器の誤動作または故障であると勘違いを起こさせることを防ぐとともに無駄な電力の消費を防ぐことができるという効果を得ることができる。
【図面の簡単な説明】
【図１】本発明の一実施形態のＳ／ＰＤＩＦ出力端子を有する音声信号出力装置における、Ｓ／ＰＤＩＦ出力端子から出力される光信号を生成するための回路の回路図である。
【図２】ネットワーク対応型の音楽再生装置の前面図（図２（ａ））および、ネットワーク対応型の音楽再生装置の背面図（図２（ｂ））である。
【図３】従来のＳ／ＰＤＩＦ出力端子を有する音声信号出力装置における、Ｓ／ＰＤＩＦ出力端子から出力される光信号を生成するための回路の回路図である。
【符号の説明】
１    ジャック
２    ＬＥＤ
３    ドライブＩＣ
４    電源遮断回路
５    ＰＮＰトランジスタ
６    ｎチャネルＭＯＳトランジスタ
７    プルアップ抵抗
８    嵌合金具
９    検出ピン
１０    Ｓ／ＰＤＩＦ出力端子
１００    Ｓ／ＰＤＩＦ信号
１０１    接続検出信号
【図１】
0003675742.tif 000002
【図２】
0003675742.tif 000003
【図３】
0003675742.tif 000004